(57)【要約】      （修正有）【課題】一対の単位体がロック部材で連結可能に形成されている組立式テーブルにおいて、単位体の連結箇所から遠い位置のテーブル上面に大きな荷重がかかっても、連結箇所から天板が山折れすることを防止し、ロック部材の損壊を防止できるようにする。【解決手段】一対の単位体１を連結可能に形成する組立式テーブルであって、各単位体を、連結時に天板２を形成する半割り状のテーブル板３と、テーブル板を支持する脚４とを備え、テーブル板の連結側の側端３ａの下面に、テーブル板の連結時に互いに係止して天板が側端から山折れするのを防止する係止部材１５を設ける。【選択図】図１
0003219480.tif 000002
【実用新案登録請求の範囲】
【請求項１】
一対の単位体が連結可能に形成され、各単位体が、連結時に天板を形成する半割り状のテーブル板と、このテーブル板を支持する脚とを備えて形成され、またテーブル板の連結側の側端の下面に、テーブル板の連結時に互いに係止して天板が上記の側端から山折れするのを防止する係止部材が設けられていることを特徴とする組立式テーブル。
【請求項２】
請求項1記載の組立式テーブルであって、係止部材が断面四角形の金属製角パイプで形成され、長手方向に沿った側面をテーブル板の側端に沿わせて設けられていることを特徴とする組立式テーブル。
【請求項３】
請求項１又は２記載の組立式テーブルであって、上記のテーブル板が垂直状に回動可能に形成され、脚が着脱可能に形成されていると共に、単位体の左右に脚が設けられ、この脚の床面に沿った棒状の接地部がテーブル板の側端を手前にした状態で、上から見てハの字形に配置されていることを特徴とする組立式テーブル。
【考案の詳細な説明】
【技術分野】
【０００１】
本考案は、テーブルに関し、更に詳しくは小さく、薄く、コンパクトに梱包でき、運搬や保管のスペースを節減できるよう形成されている組立式テーブルに関するものである。
【背景技術】
【０００２】
従来、この種のテーブルとしては、例えば特許文献１に記載されているものが知られている。
この従来品は、天板を水平状態から横軸を中心に９０度回して垂直に配置して運搬、保管でき、使用時は天板を水平に配置してロック部材でロックして連結できるよう形成されている。
【０００３】
而して、特許文献１に記載の従来品は、天板を水平にしたとき、天板を形成する分割板の側端を突き合わせただけで水平状態を維持する構造であった。
【０００４】
従って、従来品は、分割板の連結箇所から遠い位置のテーブル上面に、大きな荷重が加わると、天板が分割板の連結箇所を介して山折れし、変形することがあった。
そのため、従来品を使用すると、ロック部材が壊れ易かったから、従来品は耐久性が悪い、という問題点があった。
【先行技術文献】
【特許文献】
【０００５】
【特許文献１】実用新案登録第３１７１５７６号公報
【考案の概要】
【考案が解決しようとする課題】
【０００６】
本考案は、このような従来品の問題点に鑑み、提案されたものである。
従って、本考案の解決しようとする技術的課題は、一対の単位体がロック部材で連結可能に形成されている組立式テーブルにおいて、単位体の連結箇所から遠い位置のテーブル上面に大きな荷重がかかっても、連結箇所から天板が山折れすることを防止し、ロック部材の損壊を防止できるよう形成した、耐久性の良い組立式テーブルを提供することにある。
【課題を解決するための手段】
【０００７】
本考案は、上記の課題を解決するため、次のような技術的手段を採る。
即ち、本考案は、図１等に示されるように、一対の単位体１が連結可能に形成され、各単位体１が、連結時に天板２を形成する半割り状のテーブル板３と、このテーブル板３を支持する脚４とを備えて形成され、またテーブル板３の連結側の側端３ａの下面に、テーブル板３の連結時に互いに係止して天板２が上記の側端３ａから山折れするのを防止する係止部材１５が設けられていることを特徴とする（請求項１）。
【０００８】
本考案の場合、天板２の形状、換言すれば連結時に天板２を形成するテーブル板３の形状は任意である。即ち、テーブル板３は、半円形、或いは四角形等の多角形や、連結されると菱形や楕円形等の天板２になるようデザインされているのでも良い。またここで、側端３ａから山折れするのを防止する、とは、側端３ａから遠く離れたテーブル板３の上面位置に、体重等の荷重が加わっても、テーブル板３が内側下方に回動して天板１が山形に曲がり、テーブルとして使えなくなることを防止する、ということを意味する。
【０００９】
また本考案のテーブルは、係止部材１５が断面四角形の金属製角パイプで形成され、長手方向に沿った側面をテーブル板３の側端３ａに沿わせて設けられているのが好ましい（請求項２）。
【００１０】
なぜならこれによると、汎用の金属製角パイプを使用して、安価に且つ確実に、また高強度で山折れを防止できるからである。なお、係止部材１５の他の実施例としては、例えば金属製の長板を縦向きにして設ける場合がある。
【００１１】
また本考案は、上記のテーブル板３が垂直状に回動可能に形成され、脚４が着脱可能に形成されていると共に、単位体１の左右に脚４が設けられ、この脚４の床面に沿った棒状の接地部４ａがテーブル板３の側端３ａを手前にした状態で、上から見てハの字形に配置されているのが好ましい（請求項３）。
【００１２】
なぜならこれによると、テーブル板３と脚４を分解して薄く小さく梱包でき、運送や保管の台数を増加でき、運送や保管のコストを軽減できるからである。またこれによると、脚４の接地部４ａがハの字形に開いているため、テーブル板３を垂直にして前後方向に順次押し付けて保管するとき、狭いスペースに沢山の単位体１を格納できるからである。脚４の着脱は、例えばネジや嵌合等の手段で実現される。
【考案の効果】
【００１３】
本考案は、このように一対の単位体が連結可能に形成され、各単位体が、連結時に天板を形成する半割り状のテーブル板と、このテーブル板を支持する脚とを備えて形成され、またテーブル板の連結側の側端の下面に、テーブル板の連結時に互いに係止して天板が上記の側端から山折れするのを防止する係止部材が設けられているものである。
【００１４】
従って、本考案は、単位体の連結箇所から遠く離れたテーブル上面の位置に、大きな荷重が加わっても、天板を形成するテーブル板が内側下方に回動することを防止できる。
それ故、これによれば、テーブル板を連結するロック部材の損壊を防止でき、耐久性の良いテーブルを提供できる、という実用上優れた効果を奏する。
【図面の簡単な説明】
【００１５】
【図１】本考案のテーブルの好適な一実施形態を示す側面図である。
【図２】単位体を連結したときの同上テーブルの平面図である。
【図３】図２のＩＩＩ−ＩＩＩ線における断面図である。
【図４】テーブル板を垂直にしたときの単位体の斜視図である。
【図５】テーブル板を水平にしたときの単位体の斜視図である。
【図６】図５に示される単位体の正面図である。
【図７】単位体の梱包時、運搬時の概略平面図である。
【図８】単位体の保管時、格納時の概略平面図である。
【考案を実施するための形態】
【００１６】
以下、本考案を実施するための好適な一実施形態を、添付図面に従って説明する。
本考案は、図１等に示されるように、一対の単位体１が連結可能に形成されている。各単位体１は、連結時に天板２を形成する半割り状のテーブル板３と、このテーブル板３を支持する脚４とを備えて形成されている。
【００１７】
天板２は、図２に示されるように、この実施形態では円卓になるよう円形に形成されている。従って、テーブル板３は、連結されると円形になるよう半円形に形成されている。
【００１８】
またテーブル板３は、ロック部材５で連結可能に形成されている。ロック部材５は、この実施形態では、テーブル板３の両側をバランス良く固定できるよう、テーブル板３の下面で、側端３ａの左右方向の両端の位置に設けられている。
【００１９】
またこの実施形態の本考案品は、図１等に示されるように、テーブル板３の連結を正確にできるよう、一方のテーブル板３の側端３ａの左右方向の中央位置に嵌合用の雄形突起６が設けられ、この突起６が嵌合する凹孔７が他方のテーブル板３の側端３ａの左右方向の中央位置に形成されている。また図２に示されるように、一方のテーブル板３の側端３ａの左右方向の端の位置に、嵌合用の凸部８が夫々設けられ、この凸部８が嵌合するダルマ孔９が他方のテーブル板３の側端３ａの左右方向の端の位置に夫々形成されている。
【００２０】
またテーブル板３は、図１、図４に示されるように、垂直状に回動可能に形成されている。テーブル板３は、具体的には、テーブル板３の下面に取り付けられているフレーム１０に、横軸１１を介して９０度回動可能に設けられている。これにより、単位体１は、テーブルとして使用するときはテーブル板３を水平姿勢に、運搬時や保管時はテーブル板３を垂直姿勢に配置できるものである。なお、１２は、テーブル板３のロックを解除するのに使用する操作レバーである。
【００２１】
脚４は、テーブル板３に着脱可能に形成されている。脚４は、図４等に示されるように、その上部がフレーム１０にネジ１３で止め付けられ、ネジ１３を介してフレーム１０に取り付け、取り外しできるよう形成されている。
【００２２】
また脚４は、テーブル板３の左右に夫々設けられ、床面に沿った棒状の接地部４ａと、この接地部４ａのほぼ中央から垂直に立ち上げられている支柱４ｂとで、テーブルとしての使用時に逆Ｔ字形になるよう形成されている。
【００２３】
接地部４ａは、図２、図４に示されるように、テーブル板３の側端３ａを手前にした状態で、上から見てハの字形に配置されている。なお、この実施形態では単位体１の移動が容易になるよう接地部４ａにキャスター１４が設けられている。
【００２４】
而して、本考案品は、図１等に示されるように、テーブル板３の連結側の側端３ａの下面に、テーブル板３の連結時に互いに係止して天板２が上記の側端３ａから山折れするのを防止する係止部材１５が設けられている。
【００２５】
上記の係止部材１５は、この実施形態では長さが１３００ミリ、縦９０ミリ、横３０ミリの断面四角形の金属製角パイプで形成されている。係止部材１５は、長手方向に沿った側面をテーブル板３の側端３ａに沿わせて設けられている。
【００２６】
次に、この実施形態の本考案品の使用例を説明する。
【００２７】
単位体１は、梱包時は、図７に示されるように、テーブル板３から脚４が取り外され、折り畳まれた状態で段ボール等のケース１６に収納、保管されている。ケース１６は、この実施形態では長手方向の幅が１９００ミリ、短手方向の幅が９５０ミリ、高さ（深さ）が１２０ミリに選定されている。
【００２８】
而して、図７に示される梱包状態から、本考案品を組み立てるときは、先ず脚４をフレーム１０にネジ１３で止め付け、次にテーブル板３を回動して水平に配置する。
【００２９】
その後、使用者は、円卓になるよう、突起６を凹孔７に、凸部８をダルマ孔９に嵌め、ロック部材５でテーブル板３を連結する。これにより、図２、図３に示されるように、単位体１が連結され、天板２が円形に形作られて円卓になる。
【００３０】
また単位体１が連結されると、本考案品は、各単位体１のテーブル板３に設けられている係止部材１５が係止し、対向する側面同士がピタッと密着する。これにより、本考案品は、図３に示されるように、矢印の位置に、例えば使用者の体重等の荷重がかかり、下方へ大きな力が加わっても、テーブル板３が内側下方に回動することがない。
従って、これによれば、天板２が山折れして変形することがないから、ロック部材５に無理な力が加わることを防止でき、耐久力を向上できる。
【００３１】
なお、組み立てられた状態で単位体１を保管する場合は、省スペース化できるよう、図４に示されるように、天板２を回動して垂直に配置する。そして、図８に示されるように、天板２の下面（裏面）を手前にして単位体１を壁側に移動させると、本考案品は脚４の接地部４ａがハの字形のため、接地部４ａの内側に、次の単位体１の接地部４ａを順次係合させることができる。
従って、これによると、多数の単位体１を広いスペースを必要とすることなく、効率良く格納して保管できる。
【００３２】
また本考案品は、上記の如く、小さく梱包できるため、従来の梱包サイズより短手方向のサイズや高さを約半分にできる。また従来は、積み重ねができないのが通例であったが、これによれば、積み重ねて出荷できるから、例えばトラックの便数を節減でき、輸送コストを軽減できる、という実用上優れた利点がある。
【符号の説明】
【００３３】
１      単位体
２      天板
３      テーブル板
３ａ    側端
４      脚
４ａ    接地部
１５    係止部材
【図１】
0003219480.tif 000003
【図２】
0003219480.tif 000004
【図３】
0003219480.tif 000005
【図４】
0003219480.tif 000006
【図５】
0003219480.tif 000007
【図６】
0003219480.tif 000008
【図７】
0003219480.tif 000009
【図８】
0003219480.tif 000010